(57)【要約】      （修正有）【課題】乗員から所定の距離を離してスピーカーを取付けることができるスピーカーの取付構造を提供する。【解決手段】車両の前方に車室が設けられ、車両の後方に動力源を収容する後部動力室が設けられ、後部動力室の前方にロールバーが配設される車両の車室内へのスピーカーの取付構造である。ロールバーの車室側にはロールバーガーニッシュ７が取り付けられ、ロールバーガーニッシュ７はロールバーの外周に対応する外枠部２５と車両の上下方向に延びて外枠部２５を連結する補強部２６とを備えており、スピーカー３３が補強部２６に取り付けられている。また、スピーカー３３のカバー部３６は、補強部２６の突出した部分である前面部２６Ａを囲むようにして補強部２６に取付けられている。【選択図】図１
2017126891.tif 000002
【特許請求の範囲】
【請求項１】
車両前方に車室が設けられ、車両後方に動力源を収容する後部動力室が設けられ、
前記後部動力室の前方にロールバーが配設される車両の前記車室内へのスピーカーの取付構造であって、
前記ロールバーの前記車室側にはロールバーガーニッシュが取り付けられ、
前記ロールバーガーニッシュは前記ロールバーに対応する外枠部と前記車両上下方向に延びて前記外枠部を連結する補強部とを備えており、
前記スピーカーが前記補強部に取り付けられることを特徴とするスピーカーの取付構造。
【請求項２】
前記スピーカーはスピーカー部とこのスピーカー部を収納するカバー部を備えており、
前記補強部は断面視で前記車両前方に突出しており、
前記カバー部が前記補強部の前記突出した部分を囲むようにして前記補強部に取付けられ、
前記補強部に形成された切欠き部に前記スピーカー部が収容されることを特徴とする請求項１記載のスピーカーの取付構造。
【請求項３】
前記切欠き部が前記外枠部と前記補強部の結合部に形成されていることを特徴とする請求項２記載のスピーカーの取付構造。
【発明の詳細な説明】
【技術分野】
【０００１】
本発明は、車両に用いるスピーカーの取付構造に関する。
【背景技術】
【０００２】
従来、この種のものとして、左シート及び右シート内、またはこれに隣接して、左シート左チャネル・スピーカー、左シート右チャネル・スピーカー、右シート左チャネル・スピーカー、右シート右チャネル・スピーカーを含む、リア・スピーカーが装着されているコンバーチブル型自動車用サウンド・システム（例えば特許文献１）がある。
【０００３】
また、座席の上部に設けられるヘッドレストにスピーカーユニットを取付けるための車両用ヘッドレストへのスピーカー取付け構造であって、前記ヘッドレスト自体の中央部に透孔が設けられ、前記スピーカーユニットは、ヘッドレストに取付けられるヘッドレストカバーと、このヘッドレストカバーの後面に固定されて前記透孔の下半部を覆うベース部材と、このベース部材に取付けられて前記透孔内で左右に並ぶ一対のスピーカーとを備えた車両用ヘッドレストへのスピーカー取付け構造（例えば特許文献２）がある。
【先行技術文献】
【特許文献】
【０００４】
【特許文献１】特許第４５４１７６７号公報
【特許文献２】特許第３６７６７１６号公報
【発明の概要】
【発明が解決しようとする課題】
【０００５】
上記サウンド・システムやスピーカー取付け構造においては、シートやヘッドレストにスピーカーを取り付けるため、スピーカーを乗員に近い位置にしか配置することができず、また、乗員が座るシートや頭部が当たるヘッドレストにスピーカーを取り付けるため、取付位置や取付構造に制約を受け易いという問題がある。
【０００６】
また、従来技術では、シートやヘッドレストにスピーカーを一体に設けているため、シートをカスタマイズのために交換することができない。
【０００７】
さらに、上記スピーカー取付け構造では、ヘッドレストに内蔵したスピーカーからその振動が頭部に直接的に伝わるため、音の広がりを感じ難い面がある。
【０００８】
そこで、本発明は上記した問題点に鑑み、乗員から所定の距離を離してスピーカーを取付けることができるスピーカーの取付構造を提供することを目的とする。
【課題を解決するための手段】
【０００９】
上記目的を達成するために、請求項１に係る発明は、車両前方に車室が設けられ、車両後方に動力源を収容する後部動力室が設けられ、前記後部動力室の前方にロールバーが配設される車両の前記車室内へのスピーカーの取付構造であって、前記ロールバーの前記車室側にはロールバーガーニッシュが取り付けられ、前記ロールバーガーニッシュは前記ロールバーに対応する外枠部と前記車両上下方向に延びて前記外枠部を連結する補強部とを備えており、前記スピーカーが前記補強部に取り付けられることを特徴とする。
【００１０】
請求項２に係る発明は、前記スピーカーはスピーカー部とこのスピーカー部を収納するカバー部を備えており、前記補強部は断面視で前記車両前方に突出しており、前記カバー部が前記補強部の前記突出した部分を囲むようにして前記補強部に取付けられ、前記補強部に形成された切欠き部に前記スピーカー部が収容されることを特徴とする。
【００１１】
請求項３に係る発明は、前記切欠き部が前記外枠部と前記補強部の結合部に形成されていることを特徴とする。
【発明の効果】
【００１２】
本発明の請求項１の構成によれば、シートに直接取付けることなく乗員から所定の距離を離してスピーカーを取付けることができる。
【００１３】
本発明の請求項２の構成によれば、ロールバーガーニッシュの形状を活かしてスピーカーをコンパクトに収容できる。
【００１４】
本発明の請求項３の構成によれば、カバー部を用いて、ロールバーガーニッシュを補強することができる。
【図面の簡単な説明】
【００１５】
【図１】本発明の実施例１を示す一対のスピーカーの間にヘッドレストを配置した状態の斜視図である。
【図２】同上、一対のスピーカーの取付状態を示す斜視図である。
【図３】同上、一対のスピーカーの取付状態を下側から見た斜視図である。
【図４】同上、車両の側面図である。
【図５】同上、ロールバーガーニッシュ及び仕切りパネルの斜視図である。
【図６】同上、ロールバーガーニッシュ及び仕切りパネルの側面図である。
【図７】同上、一対のスピーカーの分解斜視図である。
【図８】同上、中央側のスピーカーのカバー部を正面側から見た斜視図である。
【図９】同上、中央側のスピーカーのカバー部を背面側から見た斜視図である。
【図１０】同上、中央側のスピーカーの背面側の斜視図である。
【図１１】同上、取付状態における中央側のスピーカーを正面側から見た斜視図である。
【図１２】同上、取付状態における中央側のスピーカーを斜め上側から見た斜視図である。
【図１３】同上、スピーカーの取付状態を示す正面図である。
【図１４】同上、シートとスピーカーの正面説明図である。
【図１５】同上、中央側のスピーカーの取付状態を示す背面側から見た斜視図である。
【図１６】同上、中央側のスピーカーの取付状態を示す背面上方側から見た斜視図である。
【図１７】同上、外側のスピーカーのカバー部の背面図である。
【図１８】同上、補強部の平断面図である。
【発明を実施するための形態】
【００１６】
以下、図面を参照して、本発明のスピーカーの取付構造の実施例について説明する。
【実施例１】
【００１７】
図１〜図１８は本発明の実施例１を示す。図４に示すように、自走式の四輪車両１は、車両１の前方に車室２が設けられ、車両１の後方に後部動力室３が設けられ、この後部動力室３に車両１の動力源４が収容されている。この動力源４としては、エンジン及びトランスミッションが一体に構成されたユニット、モータや燃料電池スタックなどが例示される。
【００１８】
前記車室２と後部動力室３の間には、剛性を有する仕切りパネル５が設けられており、この仕切りパネル５を囲むようにロールバー６が配設され、前記仕切りパネル５の前側に、内装部材であるロールバーガーニッシュ７が配置されている。また、図４〜図６に示すように、ロールバー６の後側には、該ロールバー６の外面を覆う外装部材である外部ロールバーガーニッシュ８が配置されている。
【００１９】
前記ロールバー６は前記後部動力室３の前方に配設されている。前記ロールバー６は、鋼製の部材であり、車体に固定されている。図５に示すように、前記ロールバー６は、上部に配置された左右方向の上ロールバー部11と、この上ロールバー部11の左右下部に設けられた縦方向の左，右ロールバー部12，12とを一体に備え、上ロールバー部11と左，右ロールバー部12，12との間には湾曲部13，13が設けられている。前記ロールバー６は、正面視略門型に形成された剛性の高い部材であり、車室２の後部を覆うように設けられている。
【００２０】
図５に示すように、前記仕切りパネル５には、その中央と左右にリアウインド15，16，16が設けられている。また、仕切りパネル５の前方下部には、車室２のフロアを構成するフロアパネル９が一体に設けられている。
【００２１】
前記ロールバー６は前記ロールバーガーニッシュ７に覆われている。図２，図３及び図１３などに示すように、前記ロールバーガーニッシュ７は、合成樹脂製であって、上部に配置した左右方向の上桟部22と、下部に配置した左右方向の下桟部23とを備え、それら上，下桟部22，23の左右を縦方向の左，右縦桟部24，24により連結しており、前記上，下桟部22，23と左，右縦桟部24，24により、ロールバー６に対応する外枠部25を構成している。尚、前記上桟部22と左，右縦桟部24，24が前記ロールバー６を覆う被覆部であり、前記上桟部22は上ロールバー部11の内面側を覆うように配置され、前記左，右側部23Ｌ，23Ｒは左，右ロールバー部12，12の内面側を覆うように配置されている。
【００２２】
前記上，下桟部22，23の間には、その中央に縦方向の補強部26，26を左右に間隔を置いて設けられ、これら補強部26，26は車両１の上下方向に延びている。また、図１８に示すように、補強部26は、平断面が略コ字型をなし、前面部26Ａとこの前面部26Ａの後側に設けた側面部26Ｂ，26Ｃとを一体に有し、車両中央側の側面部26Ｂと車両前後方向とのなす角度に比べて、車両左右外側の側面部26Ｃと車両前後方向とのなす角度が大きい。尚、前記前面部26Ａが補強部26の突出部である。
【００２３】
前記下桟部23は、その左，右側部23Ｌ，23Ｒが中央部23Ｃより上下方向において幅広に形成されている。尚、左，右側部23Ｌ，23Ｒと中央部23Ｃの境目に前記補強部26，26の下部が一体に形成されている。また、図３などに示すように、車両左右外側の側面部26Ｃは、下桟部23の下部まで連続して形成され、その側面部26Ｃの前面と前記左，右側部23Ｌ，23Ｒの前面との間に湾曲面27が設けられている。さらに、前記中央部23Ｃの上部には、後側に向かって高くなる傾斜部23Ｄが設けられている。
【００２４】
前記ロールバーガーニッシュ７には、前記仕切りパネル５のリアウインド15，16，16に対応して、開口部15Ａ，16Ａ，16Ａが設けられている。前記開口部15Ａは上，下桟部22，23と左右の補強部26，26の間の開口であり、前記開口部16Ａは、上，下桟部22，23と左，右補強部26，26と左，右縦桟部24，24の間の開口である。
【００２５】
そして、図１３などに示すように、前記左，右縦桟部24，24は相互の間隔が下から上に向かって狭まるように斜めに配置され、また、前記左右の補強部26，26は相互の間隔が下から上に向かって広がるように斜めに配置されている。また、左，右側部23Ｌ，23Ｒの上縁23Ｕの高さ位置に比べて、中央部23Ｃの傾斜部23Ｄの上縁23Ｕの高さ位置が高く形成され、左，右側部23Ｌ，23Ｒと中央部23Ｃの下縁は略同一高さである。
【００２６】
このようにロールバーガーニッシュ７を構成することにより、中央の開口部15Ａの高さ寸法を左右の開口部16Ａの高さ寸法より大きく取ることでき、また、前記左右の補強部26，26は相互の間隔が下から上に向かって広がるように斜めに配置されているから、中央の開口部15Ａの面積を大きく取ることができ、後方視界を良好に確保することができ、また、車室２内に光を取り入れ易く、さらに、リアウインド15を開いて通気性を確保することができる。
【００２７】
図１及び図１４に示すように、車室２内の右側には運転手が座るシート31が設けられ、車室２内の左側には同乗者が座る助手席のシート32が設けられている。前記運転手側のシート31の後部左右には、車両１の中央側及び外側（右側）のスピーカー33，34が前記ロールバーガーニッシュ７に取り付けられている。前記同乗者側のシート32の後部左右には、車両外側（左側）及び中央側のスピーカー34Ａ，33Ａが前記ロールバーガーニッシュ７に取り付けられている。尚、車室２の右側（運転席側）の一対のスピーカー33，34と、車室２の左側（助手席側）の一対のスピーカー33Ａ，34Ａとは左右対称であるから、以下、車室２の右側の一対のスピーカー33，34について説明する。また、前記ロールバーガーニッシュ７も略左右対称である。また、図１４などに示すように、複数のスピーカー33，33Ａ，34，34Ａは、同一高さ位置に取付けられている。
【００２８】
この場合、運転席側のヘッドレスト31Ａを挟んだ位置の後方に、前記右の縦桟部24と右の補強部26が位置し、助手席側のヘッドレスト32Ａを挟んだ位置の後方に、前記左の縦桟部24と左の補強部26が位置し、後述するスピーカー部がヘッドレスト31Ａ，32Ａを挟んだ左右に配置される。
【００２９】
以下、前記中央側のスピーカー33について説明する。前記中央側のスピーカー33は、高音用スピーカー本体であるスピーカー部35と、このスピーカー部35の前側を収容するカバー部36とを備える。
【００３０】
前記カバー部36は、合成樹脂製であって、後部が開口した箱型をなし、前記スピーカー部35を固定する前板部41と、上板部42と、中央側板部43と、下板部44とを有する。尚、ロールバーガーニッシュ７に取り付けた状態で、前記スピーカー部35の中心軸は車両１の前後方向に配置され、スピーカー部35から前方に向かって音が発せられる。
【００３１】
取付状態で、前記上板部42は車両１の左右方向外側から中央側に向かって低くなるように傾斜し、前記中央側板部43は前記上板部42と同方向で且つ大きな角度で傾斜し、前記上板部42と中央側板部43の挟角は鈍角であり、中央側板部43と下板部44の挟角は鈍角である。尚、下板部44は横方向であって、略水平に配置される。
【００３２】
前記前板部41は、前記スピーカー部35を固定するスピーカー部用前板部45と、このスピーカー部用前板部45の側部に一体に設けられ、後方に傾斜した前板傾斜部46とを備え、この前板傾斜部46の周囲の後面には、縁枠部47が設けられている。尚、縁枠部47はスピーカー部用前板部45側には設けられていない。また、前記前板傾斜部46の前面46Ｍは凹状湾曲面に形成され、図１に示すように、ヘッドレスト31Ａの左側の後外面が前記前面46Ｍに係合する。
【００３３】
また、前記上板部42の後縁には、前記補強部26が係合する係合凹部51を設け、前記中央側板部43の後縁の下部には、前記中央部23Ｃの上部が当接する側部係合凹部52を設けている。
【００３４】
図８に示すように、前記スピーカー部用前板部45には、スピーカー部35に対応する円形のスピーカーエリア53に複数の透孔54が穿設されている。そのスピーカー部用前板部45の後面には、前記スピーカーエリア53を挟んだ左右両側にスピーカー部取付用ボス部55，55Ａが設けられている。また、スピーカー部用前板部45の後面には、下部側の左右と上部側の左右外側に、カバー部取付用ボス部56，56Ａ，56Ｂが設けられている。
【００３５】
図１０に示すように、前記スピーカー部35の前面側には鍔部57が周設され、前記スピーカー部取付用ボス部55，55Ａに対応して、前記鍔部57に腕部58，58が突出され、この腕部58には透孔（図示せず）が穿設されており、この透孔に固定部材たるタッピング螺子59を挿通し、このタッピング螺子59を前記ボス部55，55Ａに螺合することにより、前記スピーカー部用前板部45にスピーカー部35が固定される。
【００３６】
前記カバー部取付用ボス部56，56Ａ，56Ｂには、それぞれブラケット61，61Ａ，61Ｂが固定される。これらブラケット61，61Ａ，61Ｂは、前側と後側にそれぞれ透孔62，62Ａが穿設され、前側の透孔62に固定部材たるタッピング螺子（図示せず）を挿通し、この透孔62に挿通したタッピング螺子を、前記ボス部56，56Ａ，56Ｂに螺着し、後側の透孔62Ａとロールバーガーニッシュ７とに挿通した固定部材たる螺子64により、ロールバーガーニッシュ７に複数のブラケット61，61Ａ，61Ｂを固定し、これによりカバー部36がロールバーガーニッシュ７に固定される。
【００３７】
このように前記ブラケット61，61Ａ，61Ｂ，タッピング螺子及び螺子64により、スピーカー部35とカバー部36とをロールバーガーニッシュ７に固定する固定手段65を構成している。
【００３８】
前記スピーカー部用前板部45の前面の縁部には、装飾用の縁枠部66が設けられ、この前面側の縁枠部66は正面視で略コ字型をなし、両面テープなどにより前記スピーカー部用前板部45の縁部に固定されている。
【００３９】
図１５及び図１６に示すように、前記外枠部25の下桟部23と前記補強部26の結合部28には、収容部たる切欠き部29が設けられ、この切欠き部29に前記スピーカー部35が挿通状態で収容される。この例では、前記切欠き部29は、透孔により形成され、前記前面部26Ａに開口すると共に、左右の側面部26Ｂ，26Ｃの一部に開口し、側面部26Ｃの後縁26Ｆと中央部23Ｃの上縁23Ｕとが連続して形成されている。尚、スピーカー部35を切欠き部29に遊嵌したり、嵌合したりすることができ、嵌合した場合は、スピーカー部35がロールバーガーニッシュ７により支持される。
【００４０】
そして、切欠き部29にスピーカー部35を収容すると共に、固定手段65によりスピーカー33を前記結合部28側に固定すると、補強部26の前面に係合凹部51が当接状態で外嵌し、このようにして補強部26の突出部たる前面部26Ａをカバー部36の係合凹部51が囲み、側部係合凹部52が中央部23Ｃの上部に当接状態で外嵌する。また、前板傾斜部46の縁枠部47が前記湾曲面27及び右側部23Ｒの前面に当接する。
【００４１】
このように切欠き部29にスピーカー部35の少なくとも一部を収容し、スピーカー部35の後部をロールバーガーニッシュ７の後方に突出することにより、カバー部36の前後方向の寸法を抑え、スピーカー33，33Ａをコンパクトに取り付けることができる。
【００４２】
また、切欠き部29を挟んでカバー部36を結合部28に固定したから、合成樹脂製のカバー部36によりロールバーガーニッシュ７の結合部28を補強することできる。
【００４３】
次に、前記外側のスピーカー34について説明する。尚、前記スピーカー33と同一部分に同一符号を付し、その説明を省略する。前記外側のスピーカー33Ａは、高音用スピーカー本体である前記スピーカー部35と、このスピーカー部35を収容するカバー部36Ａとを備える。
【００４４】
図１７に示すように、前記カバー部36Ａは、合成樹脂製であって、後部が開口した箱型をなし、前記スピーカー部35を固定する前板部41Ａと、上板部42Ａと、外側板部43Ａと、下板部44Ａとを有する。
【００４５】
取付状態で、前記上板部42Ａは車両１の左右方向中央側から外側に向かって低くなるように傾斜し、前記外側板部43Ａは前記上板部42Ａと同方向で且つ大きな角度で傾斜し、前記上板部42Ａと外側板部43Ａの挟角は鈍角であり、外側板部43Ａと下板部44Ａの挟角は鈍角である。尚、下板部44Ａは横方向であって、略水平に配置される。
【００４６】
前記前板部41Ａは、前記スピーカー部35を固定するスピーカー部用前板部45Ａと、このスピーカー部用前板部45Ａの側部に一体に設けられ、後方に傾斜した前板傾斜部46Ａとを備え、この前板傾斜部46Ａの周囲の後面には、縁枠部47Ａが設けられている。尚、縁枠部47Ａはスピーカー部用前板部45Ａ側には設けられていない。また、前記前板傾斜部46Ａの前面46Ｍは凹状湾曲面に形成され、図１及び図２に示すように、ヘッドレスト31Ａの右側の後外面が前記前面46Ｍに係合する。
【００４７】
図１７に示すように、前記スピーカー部用前板部45Ａの後面には、前記スピーカーエリア53を挟んだ左右両側に前記スピーカー部取付用ボス部55，55Ａが設けられている。また、スピーカー部用前板部45Ａの後面には、下部側の右左と上部側の左右内側（左側）に、前記カバー部取付用ボス部56，56Ａ，56Ｂが設けられている。
【００４８】
前記カバー部36Ａのカバー部取付用ボス部56，56Ａ，56Ｂには、それぞれブラケット61Ｃ，61Ｄ，61Ｅが固定される。これらブラケット61Ｃ，61Ｄ，61Ｅは、前側と後側にそれぞれ透孔62，62Ａが穿設され、前側の透孔62に固定部材たるタッピング螺子（図示せず）を挿通し、この透孔62に挿通したタッピング螺子63を、前記ボス部56，56Ａ，56Ｂに螺着し、後側の透孔62Ａとロールバーガーニッシュ７とに挿通した固定部材たる螺子64により、ロールバーガーニッシュ７に複数のブラケット61Ｃ，61Ｄ，61Ｅを固定し、これによりカバー部36Ａがロールバーガーニッシュ７に固定される。
【００４９】
このように前記ブラケット61Ｃ，61Ｄ，61Ｅ，タッピング螺子63及び螺子64により、スピーカー部35とカバー部36Ａとをロールバーガーニッシュ７に固定する固定手段65Ａを構成している。
【００５０】
そして、カバー部36Ａにスピーカー部35を固定し、固定手段65Ａによりスピーカー33Ａを下桟部23の右側部23Ｒの左右方向外側（右側）に固定すると、カバー部36Ａの後縁部がロールバーガーニッシュ７の前面に当接する。
【００５１】
また、前記スピーカー33，34と同様にして前記スピーカー33Ａ，34Ａをロールバーガーニッシュ７の左側に固定する。
【００５２】
このようにロールバーガーニッシュ７にスピーカー33，33Ａ，34，34Ａを取付けることより、シート31，32に取付けることなく、スピーカー33，33Ａ，34，34Ａを車室２内に取り付けることができると共に、シート31，32から所定の距離を離してスピーカー33，33Ａ，34，34Ａを取付けることができる。
【００５３】
また、図１４に示すように、スピーカー33，33Ａが右側のシート31のヘッドレスト31Ａの左右外側の後方に位置し、スピーカー34，34Ａが右側のシート32のヘッドレスト32Ａの左右外側の後方に位置し、例えばスピーカー33，33Ａから発した音がシート31に着座した運転手の前方で合されるため、車室２内において好ましい音場を形成することができる。
【００５４】
さらに、図１に示すように、例えば、シート31のヘッドレスト31Ａを右側のスピーカー33，33Ａの前面46Ｍ，46Ｍに嵌め入れるようにして配置すると、スピーカー33，33Ａがヘッドレスト31Ａにより仕切られた状態となり、ヘッドレスト31Ａの後方でスピーカー33，33Ａの音が混ざることがなく、運転手の前方でスピーカー33，33Ａの音が合された状態となり、車室２内で好ましい音響効果を得ることができる。尚、シート31のヘッドレスト31Ａを右側のスピーカー33，33Ａの前面46Ｍ，46Ｍに嵌め入れた状態でも、スピーカー部35の前面はヘッドレスト31Ａの前面より後方に位置する。
【００５５】
このように本実施例では、請求項１に対応して、車両１の前方に車室２が設けられ、車両１の後方に動力源４を収容する後部動力室３が設けられ、後部動力室３の前方にロールバー６が配設される車両１の車室２内へのスピーカーの取付構造であって、ロールバー６の車室２側にはロールバーガーニッシュ７が取り付けられ、ロールバーガーニッシュ７はロールバー６の外周に対応する外枠部25と車両１の上下方向に延びて外枠部25を連結する補強部26，26とを備えており、スピーカー33，33Ａが補強部26，26に取り付けられるから、シート31，32に直接取付けることなく乗員から所定の距離を離してスピーカー33，33Ａを取付けることができる。
【００５６】
このように本実施例では、請求項２に対応して、スピーカー33，34はスピーカー部35とこのスピーカー部35を収納するカバー部36，36Ａを備えており、補強部26は断面視で車両１の前方に突出しており、カバー部36が補強部26の前記突出した部分である前面部26Ａを囲むようにして補強部26に取付けられ、補強部26に形成された切欠き部29にスピーカー部35が収容されるから、ロールバーガーニッシュ７の形状を活かしてスピーカー33，33Ａをコンパクトに収容できる。また、スピーカー33のカバー部36が、前面部26Ａを囲むようにして補強部26に取り付けられるため、スピーカー33の位置及び向きを正しく設定することができ、共鳴できる位置及び向きにスピーカー33を取付けることができる。
【００５７】
このように本実施例では、請求項３に対応して、切欠き部29が外枠部25の下桟部23と補強部26の結合部28に形成されているから、カバー部36を用いて、ロールバーガーニッシュ７を補強することができる。
【００５８】
以下、実施例上の効果として、カバー部36は、係合凹部51と側部係合凹部52との間の一部が開口部15Ａに位置するように、結合部28に設けられるから、開口部15Ａを遮る部分を少なくしてロールバーガーニッシュ７にスピーカー33を取付けることができる。また、上板部42の後縁には、補強部26が係合する係合凹部51を設け、中央側板部43の後縁の下部には、中央部23Ｃの上部が当接する側部係合凹部52を設け、スピーカー33を取付けた状態で、補強部26の前面に係合凹部51が当接状態で外嵌し、側部係合凹部52が中央部23Ｃの上部に当接状態で外嵌するから、カバー部36における係合凹部51，52間の部分により結合部28を補強することができる。また、カバー部36，36Ａは複数のブラケットを備えた固定手段65，65Ａによりロールバーガーニッシュ７に取付けられるから、安定した取付強度を得ることができる。
【００５９】
また、ヘッドレスト31Ａの左右の後外面は、カバー部36，36Ａの係合受け部たる前面46Ｍ，46Ｍ間に嵌るから、スピーカー33，33Ａがヘッドレスト31Ａにより仕切られた状態となり、ヘッドレスト31Ａの後方でスピーカー33，33Ａの音が混ざることがなく、運転手の前方でスピーカー33，33Ａの音が合された状態となり、車室２内で好ましい音響効果を得ることができる。
【００６０】
尚、本発明は、本実施例に限定されるものではなく、本発明の要旨の範囲内で種々の変形実施が可能である。例えば、実施例ではシートが２席の車両を例示したが、３席や４席以上でもよい。
【符号の説明】
【００６１】
１  車両
２  車室
３  後部動力室
４  動力源
５  仕切りパネル
６  ロールバー
７  ロールバーガーニッシュ
26  補強部
26Ａ  前面部（突出した部分）
28  結合部
29  切欠き部
33  スピーカー
33Ａ  スピーカー
34  スピーカー
34Ａ  スピーカー
35  スピーカー部
36  カバー部
36Ａ  カバー部
51  係合凹部
52  側部係合凹部
【図１】
2017126891.tif 000003
【図２】
2017126891.tif 000004
【図３】
2017126891.tif 000005
【図４】
2017126891.tif 000006
【図５】
2017126891.tif 000007
【図６】
2017126891.tif 000008
【図７】
2017126891.tif 000009
【図８】
2017126891.tif 000010
【図９】
2017126891.tif 000011
【図１０】
2017126891.tif 000012
【図１１】
2017126891.tif 000013
【図１２】
2017126891.tif 000014
【図１３】
2017126891.tif 000015
【図１４】
2017126891.tif 000016
【図１５】
2017126891.tif 000017
【図１６】
2017126891.tif 000018
【図１７】
2017126891.tif 000019
【図１８】
2017126891.tif 000020